(57)【要約】      （修正有）【課題】介護で最も体力を要するのが被介護者の身体の上げ下げする際の負担で腰痛症の大きな原因で施設などでは離職が多かった。介護者の負担を軽減することができる移乗車を提供する。【解決手段】力の負担の大きい部分に電動モーターを使用して腰痛症を防ぎ、自宅介護も容易に安全に出来るコンベア式移乗車である。移乗車は被介護者を移乗するためのものであって、身体載せ台と補助台４を備える。補助台には把持部３を設け、把持部には被介護者を肘するためのベルトの長さを調整、係止するためのベルト止めを設けたことを特徴とする。【選択図】図１
2019141201.tif 000002
【特許請求の範囲】
【請求項１】
被介護者を移乗するための移乗車であって、この移乗車はフレームと、フレームに取り付けられベルト駆動される身体載せ台と、身体載せ台上に補助台とを備え、補助台には、被介護者用の把持部を設け、把持部には被介護者を保持するためのべルトの長さを調整して係止するためのベルト止めを設けたことを特徴とする移乗車。
【請求項２】
前記身体載せ台はベルトコンベア式であることを特徴とする請求項1に記載の移乗車。
【発明の詳細な説明】
【技術分野】
【０００１】
本発明は、被介護者を持ち上げる際の移乗車のコンベア部分に関するものである。
【背景技術】
【０００２】
被介護者が移乗車に乗り降りする際は介護者の大きな力を必要とし、腰痛の大きな原因となっていた。
【先行技術文献】
【特許文献】
【０００３】
【特許文献１】特許第６２６００６９号
【特許文献２】特願２０１７−２３６６００号
【発明の概要】
【発明が解決しようとする課題】
【０００４】
被介護者の身体の上げ下げする際は介護者にとっては大きな負担で、力のある介護者でも腰痛症などを招いていた。
【課題を解決するための手段】
【０００５】
上記課題を解決するために、本発明のコンベア式移乗車は、被介護者を移乗するための移乗車であって、この移乗車はフレームと、フレームに取り付けられベルト駆動されるベルトコンベア式の身体載せ台と、身体載せ台上に補助台とを備え、補助台には、被介護者用の把持部を設け、把持部には被介護者を保持するためのべルトの長さを調整して係止するためのベルト止めを設けたことを特徴とする。
【発明の効果】
【０００６】
本発明の移乗車にはベルトコンベア式のベルトに補助台を設け、身体のずり落ちを防ぐ身体ベルトを掛ける為の梯子状の部材を設けてあり、更にその部材は乗る前には被介護者が介護車を身体に引き寄せる把持部にもなり、被介護者の横ずれを防ぎ、長い身体ベルトの調整具の役割も果たすため、介護者の負担を軽減することができる。
【図面の簡単な説明】
【０００７】
【図１】本発明のコンベア式移乗車の概略を示す斜視図である。
【図２】本発明のコンベア式移乗車の身体乗せ台を示す概略図であり、（ａ）はその内部構造を示す図、（ｂ）は身体乗せ台の側面図、（ｃ）は身体乗せ台に脱着可能な補助台を示す説明図である。
【図３】本発明のコンベア式移乗車の作動状態を示す説明図である。
【図４】被介護者を保持するためのべルトの長さを調整して係止するためのベルト止めの使用状態を示す説明図である。
【図５】図4におけるベルト端部の補助具の拡大図である。
【発明を実施するための形態】
【０００８】
図１は電動モーター１５で動くコンベアベルト６を本体フレーム２に設置した図であり、コンベアベルト６の中間部には補助台４を設け、その両側には調整具を兼ねた梯子状の把持部３が設けてある。その把持部３は、梯子状の部分により被介護者用の脇ベルト２１を係止して被介護者を適切に保持する事が出来る。被介護者の胸が補助台４に乗る位の長さに調整した脇ベルト２１を把持部３に掛けてコンベアを作動させると、被介護者が前方にせり上がり身体が適正な位置でフレーム２に設置されたセンサー１が感知して、音で知らせ停止する。被介護者が後方に下がった場合も、同様に踏み台１４の脇にセンサー７が設置してあるので、センサー７が感知して音で知らせ停止する。また、側面カバー１１はコンベアベルト６の横ずれを防ぎ、コンベアベルト６への巻き込みを防ぐ巻き込み防止板１０が設置されている。モーター１５を作動させるためのバッテリー１３であり、その隣にはバッテリー充電用の充電器１２が設置されている、スイッチ８は、介護者がコンベアベルト６を操作するものであり、１９は手動ハンドルで、ハンドル挿入穴９よりハンドルでプーリを回動しコンベアベルト６を作動させる。
【０００９】
図２（ａ）は本発明のコンベア式移乗車の身体乗せ台の内部構造を示す図であり、電動モーター１５を備えたコンベア部分の図であるが、例では動力の伝達にはギア１６を示している、電動モーター１５の動力をギア１６を介してプーリ１７に伝え、コンベアベルト６を回動させる事が出来、１８は身体乗せ台フレームであり、手動のハンドル１９で手動回転用プーリ２０を回転できる。図２（ｂ）は身体乗せ台の側面図であり、側面のカバー１１にはコンベアベルトの横ずれ、被介護者の被服等の巻き込み防止の為の巻き込み防止板１０が施してあり左右一対としてある。図２（ｃ）は身体乗せ台に脱着可能な補助台であり、乗車部分にあるクッション性のある腹当てとしての補助台４を備え、その外側には被介護者の横ずれを防ぐ事の出来る把持部３は脇ベルト２１の使用時の長さ調整する為の部材２３を有している。
【００１０】
図３は本出願人が先に出願した特願２０１７−２３６６００の介助用多用途ベルトの幅広ベルト２２のベルトを使用している図であり、幅広ベルト２２の輪の半分を被介護者の腰部に、もう半部を臀部の下方に掛けているため、ずり落ちを防ぎ浅く座った状態で脱着可能となっている。  
【００１１】
図４は被介護者が移乗車を使用している状態を真上から見た図であり、図５は図4におけるベルト端部の補助具の拡大図である。幅広ベルト２２の脇ベルト２１を使用している図であるが、使用頻度の多いベルトの長さそのままに長さ調整具を兼ねる把持部３を使用している。例では適度の長さにする為に幅広ベルト２２から延びる脇ベルト２１の端部が把持部上部縦軸の外側を通り、Uターンする様に把持部と調整棒２３の間にあるベルトの厚み位の峡間を通り、別の調整棒２３でまたUターンする様に脇ベルト２１の端部留め具がさらに別の調整棒２３に係止されている。
これは把持部の梯子状の踏み段の間を通さずに調整棒２３の上から掛ける事が出来るため容易である。図５において、脇ベルト２１の端部の留め具が合わない時に小さい調整を兼ねる伸縮しない調整留め具２４である。
【符号の説明】
【００１２】
１  センサー
２  フレーム
３  把持部            
４  補助台              
５  クッションマット    
６  コンベアベルト      
７  センサー
８  スイッチ    
９  ハンドル穴    
１０  巻き込み防止板      
１１  側面カバー    
１２  充電器    
１３  バッテリー    
１４  踏み台    
１５  モーター
１６  ギア
１７  プーリ
１８  身体乗せ台フレーム    
１９  ハンドル
２０  手動回転用プーリ
２１  脇ベルト
２２  幅広ベルト
２３  調整棒  
２４  調整留め具  
【図１】
2019141201.tif 000003
【図２】
2019141201.tif 000004
【図３】
2019141201.tif 000005
【図４】
2019141201.tif 000006
【図５】
2019141201.tif 000007